(57)【特許請求の範囲】
【請求項１】
貯蔵室を形成する断熱箱体と、前記断熱箱体の下方及び上方の一方に設けられるとともに冷凍サイクルを運転する圧縮機を配した機械室と、を備えた冷蔵庫において、
前記断熱箱体の側壁の外面を形成する側面板を前記一方に延出して前記機械室の側壁を形成し、前記機械室の側壁に開口する開口部の上下端若しくは左右端に接して取り付けられるとともに複数の通風孔を有するグリルを設け、
前記グリルが通風孔の間から突出して上下に延びるリブを有するとともに、
前記側面板が前記開口部の上下端でそれぞれ断面Ｕ字状に形成された屈曲部を有し、前記グリルの上面及び下面が弾性変形する上下の前記屈曲部により挟持されることを特徴とする冷蔵庫。
【請求項２】
前記グリルが下方の前記屈曲部に嵌合する嵌合溝と、前記嵌合溝の嵌合状態で前記グリルの押圧によって上方の前記屈曲部に係合する係合爪とを有することを特徴とする請求項１に記載の冷蔵庫。
【請求項３】
隣接する前記リブを横方向に連結する連結リブを前記グリルに突設したことを特徴とする請求項１又は２に記載の冷蔵庫。
【請求項４】
貯蔵室を形成する断熱箱体と、前記断熱箱体の下方及び上方の一方に設けられるとともに冷凍サイクルを運転する圧縮機を配した機械室と、を備えた冷蔵庫において、
前記断熱箱体の側壁の外面を形成する側面板を前記一方に延出して前記機械室の側壁を形成し、前記機械室の側壁に開口する開口部の上下端若しくは左右端に接して取り付けられるとともに複数の通風孔を有するグリルを設け、
前記グリルが通風孔の間から突出して上下に延びるリブを有するとともに、
前記側面板が前記開口部の左右端でそれぞれ断面Ｕ字状に形成された屈曲部を有し、前記グリルの左面及び右面が弾性変形する左右の前記屈曲部により挟持されることを特徴とする冷蔵庫。
【請求項５】
前記グリルが左右の一方の前記屈曲部に嵌合する嵌合溝と、前記嵌合溝の嵌合状態で前記グリルの押圧によって左右の他方の前記屈曲部に係合する係合爪とを有することを特徴とする請求項４に記載の冷蔵庫。
【請求項６】
前記開口部の上下方向の長さが前後方向の長さ以上に形成されることを特徴とする特徴とする請求項１〜５のいずれかに記載の冷蔵庫。
【請求項７】
前記機械室内に左右方向に通風させる送風ファンを備えたことを特徴とする請求項１〜６のいずれかに記載の冷蔵庫。
【発明の詳細な説明】
【技術分野】
【０００１】
本発明は機械室の側壁に開口部を備えた冷蔵庫に関する。
【背景技術】
【０００２】
従来の冷蔵庫は特許文献１に開示されている。この冷蔵庫は外箱と内箱との間に断熱材を充填した断熱箱体を備える。断熱箱体により形成される各貯蔵室の前面は断熱扉により開閉される。断熱箱体の外箱は側面板を有し、断熱箱体の下方に機械室が設けられる。
【０００３】
機械室内には圧縮機及び送風ファンが設けられる。圧縮機は冷媒を流通させて冷凍サイクルを運転する。側面板は断熱箱体の側壁の外面を形成するとともに機械室の側壁を形成する。これにより、断熱箱体の下方に機械室を備えた本体部が側面板の下端で支持される。機械室の側壁には側面板には開口部が設けられる。
【０００４】
送風ファンの駆動により開口部から機械室に外気が流入し、圧縮機が冷却される。
【先行技術文献】
【特許文献】
【０００５】
【特許文献１】特開２０１１−５８６９１号公報
【発明の概要】
【発明が解決しようとする課題】
【０００６】
上記従来の冷蔵庫によると、開口部の開口面積が小さいため、側面板の強度は低下せず本体部を支持できる。しかしながら、機械室内の冷却効率を向上するために開口部の開口面積を大きくすると、側面板の強度が低下する。これにより、冷蔵庫の運搬中の落下や衝突等によって側面板が変形しやすくなるという問題があった。
【０００７】
本発明は、機械室の冷却能力を向上するとともに、側面板の強度を向上できる冷蔵庫を提供することを目的とする。
【課題を解決するための手段】
【０００８】
上記目的を達成するために本発明の冷蔵庫は、貯蔵室を形成する断熱箱体と、前記断熱箱体の下方及び上方の一方に設けられるとともに冷凍サイクルを運転する圧縮機を配した機械室と、を備えた冷蔵庫において、前記断熱箱体の側壁の外面を形成する側面板を前記一方に延出して前記機械室の側壁を形成し、前記機械室の側壁に開口する開口部の上下端若しくは左右端に接して取り付けられるとともに複数の通風孔を有するグリルを設け、前記グリルが通風孔の間から突出して上下に延びるリブを有することを特徴とする。
【０００９】
この構成によると、通風孔から外気が機械室内に流入して圧縮機が冷却され、圧縮機の駆動によって冷媒が流通して冷凍サイクルが運転される。リブを有するグリルは開口部の上端及び下端に接して取り付けられて側面板を補強する。
【００１０】
また本発明は、上記構成の冷蔵庫において、前記側面板が前記開口部の上下端でそれぞれ断面Ｕ字状に屈曲する屈曲部を有し、前記グリルの上面及び下面が弾性変形する上下の前記屈曲部により挟持されることを特徴とする。
【００１１】
また本発明は、上記構成の冷蔵庫において、前記グリルが下方の前記屈曲部に嵌合する嵌合溝と、前記嵌合溝の嵌合状態で前記グリルの押圧によって上方の前記屈曲部に係合する係合爪とを有することを特徴とする。
【００１２】
また本発明は、上記構成の冷蔵庫において、隣接する前記リブを横方向に連結する連結リブを前記グリルに突設したことを特徴とする。
【００１３】
また本発明は、上記構成の冷蔵庫において、前記側面板が前記開口部の左右端でそれぞれ断面Ｕ字状に屈曲する屈曲部を有し、前記グリルの左面及び右面が弾性変形する左右の前記屈曲部により挟持されることを特徴とする。
【００１４】
また本発明は、上記構成の冷蔵庫において、前記グリルが左右の一方の前記屈曲部に嵌合する嵌合溝と、前記嵌合溝の嵌合状態で前記グリルの押圧によって左右の他方の前記屈曲部に係合する係合爪とを有することを特徴とする。
【００１５】
また本発明は、上記構成の冷蔵庫において、前記開口部が前後方向よりも同等若しくは上下方向に長く形成されることを特徴とする。
【００１６】
また本発明は、上記構成の冷蔵庫において、前記機械室内に左右方向に通風させる送風ファンを備えたことを特徴とする。
【発明の効果】
【００１７】
本発明によると、機械室の側壁に開口する開口部の上下端若しくは左右端に接して取り付けられるとともに複数の通風孔を有するグリルを設け、グリルが通風孔の間から突出して上下に延びるリブを有するため、機械室の冷却能力を向上するとともに側面板の強度を向上できる。
【図面の簡単な説明】
【００１８】
【図１】本発明の第１実施形態の冷蔵庫を示す側面断面図
【図２】本発明の第１実施形態の冷蔵庫の機械室を示す斜視図
【図３】本発明の第１実施形態の冷蔵庫のグリルを示す斜視図
【図４】本発明の第１実施形態の冷蔵庫のグリルの縦断面図
【図５】本発明の第２実施形態の冷蔵庫のグリルの正面図
【発明を実施するための形態】
【００１９】
以下に本発明の実施形態を図面を参照して説明する。図１は第１実施形態の冷蔵庫１を示す側面断面図を示している。冷蔵庫１は外箱２ａと内箱２ｂとの間に断熱材２ｃを充填した断熱箱体２を有する本体部３を備える。断熱箱体２の上部には冷蔵室４が設けられ、冷蔵室４の下方には冷凍室５が設けられる。
【００２０】
冷蔵室４及び冷凍室５の前面は断熱扉４ａ、５ａによりそれぞれ開閉される。断熱箱体２の後方下部には機械室６が設けられる。機械室６には冷凍サイクルを運転する圧縮機３１及び圧縮機３１を冷却する送風ファン３２（図２参照）が配される。
【００２１】
冷凍室５の背後には冷気を生成する為の冷却器３５と冷気が流通する冷気通路８が設けられる。冷気通路８の上流には冷凍サイクルの低温部となる冷却器３５が配され、冷却器３５の下流には送風ファン９が配される。送風ファン９の駆動によって、冷気通路８を流通する空気が冷却器３５と熱交換して冷気が生成される。
【００２２】
断熱箱体２の下端の前部にはストッパ−を兼ねたネジ式で高さを調節できる調節足と車輪により構成される脚部１９が設けられる。断熱箱体２の下端の後部には車輪２０が設けられる。断熱箱体２の調節足を回して調節足を上方に上げると、脚部１９の車輪と車輪２０が冷蔵庫１の設置面上を転動して冷蔵庫１を移動させることができる。
【００２３】
図２は機械室６を背面から見た斜視図を示している。断熱箱体２の外箱２ａは金属板により形成され、側壁の外面を形成する側面板７を有する。側面板７を断熱箱体２の下方に延出して機械室６の側壁を形成する。これにより、断熱箱体２の下方に機械室６を備えた本体部３が側面板７の下端で支持される。
【００２４】
機械室６の側壁を成す両側の側面板７の下部には開口部１０が開口し、開口部１０にはグリル１１が設けられる。開口部１０は略矩形状で側面板７上に前後方向よりも上下方向に長く開口して形成される。
【００２５】
また、開口部１０の上下方向の大きさは送風ファン３２の径よりも大きく、機械室６の高さの１／２以上である。即ち、開口部１０が前後方向よりも同等若しくは、上下方向に長く形成されるとよい。これにより、機械室６内に流入する空気量を増加させて機械室６の冷却効率を向上することができる。グリル１１は複数の通風孔１２を有して開口部１０の上端１０ａ及び下端１０ｂに接して取り付けられる。
【００２６】
圧縮機３１は背面から見て左部に配置され、送風ファン３２は背面から見て右部に配置される。送風ファン３２の駆動により、一方の通風孔１２から吸い込んだ外気を左右方向に通風させ、圧縮機３１が冷却される。
【００２７】
図３は側面板７の下部を内側から見た斜視図を示している。図４は図３のＡ線で切断したグリル１１の縦断面図を示している。グリル１１はリブ１３及び連結リブ１４を備える。リブ１３は上下に延びて通風孔１２の間から機械室６内に向けて突設される。連結リブ１４は隣接するリブ１３を横方向に連結して機械室６内に突設される。グリル１１は樹脂成形品から成り、リブ１３及び連結リブ１４を一体に形成する。
【００２８】
図４に示すように側面板７は開口部１０の上端１０ａ及び下端１０ｂでそれぞれ屈曲部７ａ、７ｂを有する。屈曲部７ａはＵ字状のＵ字状のＵ字状部７ｃ、７ｄが連続したＳ字状に形成される。屈曲部７ｂはＵ字状のＵ字状のＵ字状部７ｅ、７ｆが連続したＳ字状に形成される。
【００２９】
グリル１１は下方のＵ字状部７ｅに嵌合する嵌合溝１１ｂと、上方のＵ字状部７ｄに係合する係合爪１１ａとを有する。係合爪１１ａは背面が傾斜している。
【００３０】
冷蔵庫１の組み立て時において、グリル１１を側面板７に取り付ける際に、グリル１１のＵ字状部７ｅに嵌合溝１１ｂを嵌合する。この時、嵌合溝１１ｂの背面側の突出部１１ｅはＵ字状部７ｆに嵌合する。この嵌合状態でユーザはグリル１１を正面から押すと、係合爪１１ａと屈曲部７ａとが当接する。
【００３１】
さらに、グリル１１を押圧すると、屈曲部７ａ、７ｂが弾性変形し、係合爪１１ａがＵ字状部７ｄを乗り越えて屈曲部７ａと係合する。この時、係合爪１１ａは背面が傾斜しているので、開口部１０の上端１０ａ（Ｕ字状部７ｄの下端）を容易に超えて係合する。
【００３２】
これにより、グリル１１を側面板７に取り付けやすくなる。また弾性変形する屈曲部７ａ、７ｂによってグリル１１が挟持され、グリル１１が上端１０ａ、下端１０ｂに接して取り付けられる。
【００３３】
本実施形態によると、機械室６の側壁に開口する開口部１０の上端１０ａ及び下端１０ｂに接して取り付けられるとともに複数の通風孔１２を有するグリル１１を設け、グリル１１が通風孔１２の間から突出して上下に延びるリブ１３を有するため、機械室６の冷却能力を向上するとともに側面板７の強度を向上できる。
【００３４】
なお、機械室６は断熱箱体２の上方に設けられ、断熱箱体２の側壁の外面を形成する側面板７を上方に延出して機械室６の側壁を形成する構成であってもよい。この時も、グリル１１が通風孔１２の間から突出して上下に延びるリブ１３を有するため、機械室６の冷却能力を向上するとともに側面板７の強度を向上できる。このため、冷蔵庫１の運搬時などの衝突から側面板６の変形を防止できる。
【００３５】
また、側面板７が開口部１２の上端１０ａ及び下端１０ｂでそれぞれ断面Ｕ字状に屈曲する屈曲部７ａ，７ｂを有し、グリル１１の上面１１ｃ及び下面１１ｄが弾性変形する上下の屈曲部７ａ，７ｂにより挟持されるため、冷蔵庫１の組立時においてグリル１１を容易に開口部１０の上端１０ａ及び下端１０ｂに接して取り付けることができる。
【００３６】
また、グリル１１が下方の屈曲部７ｂに嵌合する嵌合溝１１ｂと、嵌合溝１１ｂの嵌合状態でグリル１１の押圧によって上方の屈曲部７ａに係合する係合爪１１ａとを有するため、冷蔵庫１の組み立て時にグリル１１を容易に取り付けることができる。
【００３７】
また、開口部１０が前後方向よりも同等若しくは、上下方向に長く形成されるため、開口部１０の開口面積を大きくして機械室６内を効率的に冷却することができる。
【００３８】
また、隣接するリブ１３を横方向に連結する連結リブ１４をグリル１２に突設したため、側面板７の強度をより向上できる。
【００３９】
また、機械室６内に左右方向に通風させる送風ファン３２を備えたため、通風孔１２からの外気を吸い込んで、機械室６を冷却することができる。
【００４０】
本実施形態においてグリル１１は側面板７の片面でもよい。また、機械室６に送風ファン３２を設けない構成であってもよい。
【００４１】
（第２実施形態）
次に第２実施形態の冷蔵庫１について説明する。図５はグリル１１の正面図を示す。説明の便宜上、第１実施形態と同様の部分には同一の符号で説明する。本実施形態では第１実施形態と異なり、屈曲部７ａ、７ｂが開口部１０の左右端に設けられ、これにより屈曲部７ａ、７ｂは開口部１０の上下方向に延びて形成される。
【００４２】
このため、第１実施形態と同様の効果を奏する。また、屈曲部７ａ、７ｂが上下に延びて形成されるため、上下方向に対して側面板７の強度を向上できる。
【００４３】
また、グリル１１の左面及び右面が弾性変形する左右の屈曲部７ａ、７ｂにより挟持されるため、組み立て時にグリル１１を容易に開口部１０の左右端に接して取り付けることができる。
【００４４】
また、グリル１１が左右の一方の屈曲部７ａに嵌合する嵌合溝と、嵌合溝１１ｂの嵌合状態でグリル１１の押圧によって左右の他方の屈曲部７ｂに係合する係合爪１１ａとを有するため、冷蔵庫１の組み立て時にグリル１１を容易に取り付けることができる。
【００４５】
また、開口部１０の左右端及び上下端のぞれぞれに屈曲部７ａ、７ｂを有する構造であってもよい。これにより、開口部１０の上下、左右の強度を向上できる。
【産業上の利用可能性】
【００４６】
本発明によると、機械室の側壁に開口部を備えた冷蔵庫に利用することができる。
【符号の説明】
【００４７】
１      冷蔵庫
２      断熱箱体
２ａ    外箱
２ｂ    内箱
２ｃ    断熱材
３      本体部
４      冷蔵室
５      冷凍室
６      機械室
７      側面板
７ａ、７ｂ  屈曲部
７ｃ〜７ｆ  Ｕ字状部
８      冷気通路
９      送風ファン
１０    開口部
１０ａ  上端
１０ｂ  下端
１１    グリル
１１ａ  係合爪
１１ｂ  嵌合溝
１１ｃ  上面
１１ｄ  下面
１１ｅ  突出部
１２    通風孔
１３    リブ
１４    連結リブ
３１    圧縮機
３２    送風ファン
３５    冷却器
【図１】
0005926126.tif 000002
【図２】
0005926126.tif 000003
【図３】
0005926126.tif 000004
【図４】
0005926126.tif 000005
【図５】
0005926126.tif 000006